(57)【要約】【課題】  熱交換の効率を向上させたスターリング機関およびその製造方法ならびに上記スターリング機関を備えたスターリング冷却庫を提供する。【解決手段】  スターリング冷凍機２は、外殻体と、外殻体内に組み付けられたシリンダ１３と、ピストン１４と、ディスプレーサ１５と、ピストン１４とディスプレーサ１５との間に形成された圧縮空間１７Ａと、ディスプレーサ１５に対してピストン１４の反対側に形成された膨張空間１７Ｂと、圧縮空間１７Ａと膨張空間１７Ｂとを連通する連通路に配設された再生器１６と、再生器１６に対して圧縮空間１７Ａ側に配設された放熱部１８と、再生器１６に対して膨張空間１７Ｂ側に配設された吸熱部１９と、放熱部１８，吸熱部１９の内周面上に配設された熱交換器１８０，１９０とを備え、外殻体における熱交換器１８０または熱交換器１９０が当接する部分の少なくとも一部において、熱交換器１８０または熱交換器１９０の外周に沿うように外殻体の内面に切削加工を施している。【選択図】        図２
2005345073.tif 000002
【特許請求の範囲】
【請求項１】
外殻体と、
作動媒体を封入した前記外殻体内に組み付けられたシリンダと、
前記シリンダ内で往復運動するピストンと、
前記シリンダ内で前記ピストンに対し位相差をもって往復運動するディスプレーサと、
前記ピストンと前記ディスプレーサとの間に形成された圧縮空間と、
前記ディスプレーサに対して前記ピストンの反対側に形成された膨張空間と、
前記圧縮空間と前記膨張空間とを連通する連通路に配設された再生器と、
前記再生器に対して前記圧縮空間側に配設された放熱部と、
前記再生器に対して前記膨張空間側に配設された吸熱部と、
前記放熱部の内周面上に配設された第１熱交換器と、
前記吸熱部の内周面上に配設された第２熱交換器とを備え、
前記外殻体における前記第１熱交換器または前記第２熱交換器が当接する部分において、前記第１熱交換器または前記第２熱交換器の外周に沿うように前記外殻体の内面を加工したスターリング機関。
【請求項２】
前記放熱部は、前記第１熱交換器の外周面が当接する部分に向かうにつれて内径が小さくなるテーパ部分を有する、請求項１に記載のスターリング機関。
【請求項３】
外殻体内に動作時における作動媒体の圧力よりも高い圧力でガスを封入する工程と、
封入された前記ガスを除去した後、前記外殻体の一部を構成する部分であって前記放熱部から前記吸熱部に至る部分の少なくとも一部の内周面に切削加工を施す工程と、
前記放熱部および前記吸熱部の内周面上にそれぞれ第１と第２熱交換器と、前記放熱部と前記吸熱部との間に位置する前記外殻体の内周面上に再生器とを取り付ける工程と、
前記外殻体内に、シリンダと、ピストンと、前記シリンダ内において前記ピストンに対向するディスプレーサとを取り付ける工程とを備えたスターリング機関の製造方法。
【請求項４】
前記放熱部から前記吸熱部にまで前記切削加工が施される、請求項３に記載のスターリング機関の製造方法。
【請求項５】
請求項１または請求項２に記載のスターリング機関、もしくは、請求項３または請求項４に記載のスターリング機関の製造方法によって製造されたスターリング機関を備えたスターリング冷却庫。
【発明の詳細な説明】
【技術分野】
【０００１】
本発明は、スターリング機関およびその製造方法、スターリング冷却庫（Ｓｔｉｒｌｉｎｇ  Ｒｅｆｒｉｇｅｒａｔｏｒ／Ｆｒｅｅｚｅｒ）に関し、特に、熱交換の効率を向上させたスターリング機関およびその製造方法、スターリング冷却庫に関する。
【背景技術】
【０００２】
逆スターリングサイクルによる熱交換を冷却庫に適用したものとして、たとえば、特開２００３−５００７３号公報（従来例１）に記載されたものなどが挙げられる。
【０００３】
従来例１においては、逆スターリングサイクルによる作動ガスの圧縮熱を外部に放熱するための高温部と、逆スターリングサイクルによる作動ガスの膨張熱を外部から吸熱するための低温部と、低温部に熱的に結合された低温側凝縮器および複数の低温側蒸発器をサーモサイフォンを構成するように連結した閉回路からなる低温側循環回路とを備え、低温部の冷熱を搬送する冷熱搬送媒体を低温側循環回路内に封入したことを特徴とするスターリング冷凍システムが開示されている。
【特許文献１】特開２００３−５００７３号公報
【発明の開示】
【発明が解決しようとする課題】
【０００４】
しかしながら、上記のようなスターリング機関においては、以下のような問題があった。
【０００５】
スターリング機関の製造工程において、外殻体（Ｏｕｔｅｒ  Ｓｈｅｌｌ）の耐圧強度および外殻体を構成する部材間のロウ付けの欠陥の有無などを確認するため、該スターリング機関を実際に使用する際の作動媒体の充填圧力よりも高い（たとえば１．５倍程度）圧力で、試験的にガスが封入される。ここで、外殻体の一部に変形（膨らみ）が生ずる場合がある。この場合、たとえば、放熱部／吸熱部の内面に設けられる熱交換器と外殻との密着性が低下し、結果として、熱交換の効率が低下する。
【０００６】
一方で、スターリング機関の外殻の厚みを、該スターリング機関を実際に使用する際の作動媒体の充填圧力よりも高い圧力が作用した場合でも変形しない程度に大きくすることは、放熱部／吸熱部における熱交換の効率の向上を阻害することから、好ましくない。
【０００７】
本発明は、上記のような問題に鑑みてなされたものであり、本発明の目的は、熱交換の効率を向上させたスターリング機関およびその製造方法ならびに上記スターリング機関を備えたスターリング冷却庫を提供することにある。
【課題を解決するための手段】
【０００８】
本発明に係るスターリング機関は、外殻体と、作動媒体を封入した外殻体内に組み付けられたシリンダと、シリンダ内で往復運動するピストンと、シリンダ内でピストンに対し位相差をもって往復運動するディスプレーサと、ピストンとディスプレーサとの間に形成された圧縮空間と、ディスプレーサに対してピストンの反対側に形成された膨張空間と、圧縮空間と膨張空間とを連通する連通路に配設された再生器と、再生器に対して圧縮空間側に配設された放熱部と、再生器に対して膨張空間側に配設された吸熱部と、放熱部の内周面上に配設された第１熱交換器と、吸熱部の内周面上に配設された第２熱交換器とを備え、外殻体における第１熱交換器または第２熱交換器が当接する部分において、該第１または第２熱交換器の外周に沿うように外殻体の内面を加工している。
【０００９】
外殻体における周方向の厚みの変化を形成するに際し、その内周面を所定の形状に加工することができる。この結果、スターリング機関における熱交換の効率が向上する。
【００１０】
ここで、放熱部は、第１熱交換器の外周面が当接する部分に向かうにつれて内径が小さくなるテーパ部分を有することが好ましい。
【００１１】
これにより、ケーシング内に配設される部品を該ケーシング内に挿入しやすくなる。
【００１２】
本発明に係るスターリング機関の製造方法は、外殻体内に動作時における作動媒体の圧力よりも高い圧力でガスを封入する工程と、封入されたガスを除去した後、外殻体の一部を構成する部分であって放熱部から吸熱部に至る部分の少なくとも一部の内周面に切削加工を施す工程と、放熱部および吸熱部の内周面上にそれぞれ第１と第２熱交換器と、放熱部と吸熱部との間に位置する外殻体の内周面上に再生器とを取り付ける工程と、外殻体内に、シリンダと、ピストンと、シリンダ内においてピストンに対向するディスプレーサとを取り付ける工程とを備える。
【００１３】
これにより、ケーシングの内周面を所定の形状に加工することができる。この結果、スターリング機関における熱交換の効率が向上する。
【００１４】
ここで、放熱部から吸熱部にまで切削加工が施されることが好ましい。
【００１５】
これにより、放熱部から吸熱部に至る部分の内周面が所定の形状に形成される。結果として、スターリング機関における熱交換の効率が向上する。
【００１６】
本発明に係るスターリング冷却庫は、上述した構成を有するスターリング機関および上述したスターリング機関の製造方法により製造されたスターリング機関を備える。
【００１７】
これにより、冷却能力や成績係数（ＣＯＰ：Ｃｏｅｆｆｉｃｉｅｎｔ  ｏｆ  Ｐｅｒｆｏｒｍａｎｃｅ）の高い冷却庫が提供される。
【発明の効果】
【００１８】
本発明によれば、スターリング機関における熱交換の効率を向上させることができる。
【発明を実施するための最良の形態】
【００１９】
以下に、本発明に基づくスターリング機関およびその製造方法ならびにスターリング冷却庫の実施の形態について、図１から図４を用いて説明する。
【００２０】
なお、本願明細書において、「冷却庫」とは、「冷蔵庫」、「冷凍庫」および「冷凍冷蔵庫」の全てを含む概念である。
【００２１】
また、本実施の形態においては、「スターリング機関」の典型的な一例としてのスターリング冷凍機について説明するが、「スターリング機関」は「冷凍機」に限定して適用されるものではなく、同様の思想をたとえば「発電機」などに適用することも可能である。
【００２２】
図１は、本発明の１つの実施の形態に係るスターリング冷却庫を示す図である。
【００２３】
図１に示すスターリング冷却庫１は、冷却空間として冷凍空間と冷蔵空間との少なくとも一方を備える。スターリング冷凍機２（スターリング機関）は、ウォームヘッド（放熱部）とコールドヘッド（吸熱部）とを備える。
【００２４】
スターリング冷却庫１は、スターリング冷凍機２のウォームヘッドの冷却を行なう高温側熱搬送サイクル（放熱システム）と、冷却庫内とスターリング冷凍機２のコールドヘッドとの熱交換を行なう低温側熱搬送サイクル（吸熱システム）とを備えている。
【００２５】
低温側熱搬送サイクルは、スターリング冷凍機２のコールドヘッドの周囲に接触して取り付けられた低温側凝縮器と、低温側戻り管および低温側導管からなる低温側冷媒通路６により低温側凝縮器と接続された低温側蒸発器５とから構成された循環回路である。なお、図１においては、互いに分離した低温側戻り管および低温側導管を合わせて低温側冷媒通路６として表示している。
【００２６】
上記循環回路内には二酸化炭素や炭化水素などが冷媒として封入されている。低温側凝縮器において凝縮した冷媒は低温側導管を介して低温側蒸発器５に達する。低温側蒸発器５において冷媒が蒸発することで熱交換が行なわれる。熱交換の後、ガス化された冷媒は、低温側戻り管を介して低温側凝縮器に戻る。このように、冷媒の蒸発と凝縮とによる自然循環を利用して、コールドヘッドで発生した冷熱を伝達することができるように、低温側蒸発器５を低温側凝縮器より下方に配置している。
【００２７】
図１に示すように、スターリング冷凍機２は、冷却庫本体１Ａ背面の上部に配置される。また、吸熱システムは冷却庫本体背面１Ｂ側に配置され、放熱システムは冷却庫本体１Ａの上部側に配置される。なお、低温側蒸発器５は、冷却庫本体背面１Ｂ側に設けられた冷気ダクト５Ａに内設され、高温側凝縮器３は冷却庫本体１Ａの上部に設けられたダクト３Ａに内設される。
【００２８】
スターリング冷凍機２を作動させると、該冷凍機２のウォームヘッドで発生した熱が、高温側凝縮器３を介してダクト３Ａ内の空気と熱交換される。このとき、送風ファン４により、ダクト３Ａ内の暖かい空気がスターリング冷却庫１の庫外へ排出されるとともに、スターリング冷却庫１の庫外の空気が取り込まれ、熱交換が促進される。
【００２９】
一方、スターリング冷凍機２のコールドヘッドで発生した冷熱は、低温側蒸発器５を介して冷気ダクト５Ａ内の空気と熱交換される。このとき、庫内冷却ファン７により、低温側蒸発器５で冷却された冷気が冷却庫内（冷却空間）に送風される。冷却空間からの暖かくなった気流は、冷気ダクト５Ａを介して再び低温側蒸発器５に送られ、繰り返し冷却される。
【００３０】
上述した冷却サイクルの実施に伴い、冷却庫内（たとえば低温側蒸発器５周辺など）に着霜が生じる。これに対し、冷媒の流れを適宜調整することで、除霜を行なう。この除霜方法については、一般によく知られた技術を援用可能であるので、詳細な説明は行なわれない。
【００３１】
上述した除霜を実施することで、除霜水が発生する。除霜水は、冷気ダクト５Ａからドレンパイプ８を介して、冷却庫本体底面１Ｃの下部に設置されたドレンパン９（蒸発皿）に導かれる。ドレンパン９の上部には、送風ファン１０が設けられており、該送風ファン１０によってドレンパン９内に溜まった除霜水表面近傍に気流が形成され、比較的乾いた空気が除霜水上に供給されるので、除霜水の蒸発が促進される。
【００３２】
図２は、スターリング冷凍機２の構造の一例を示した側断面図である。
【００３３】
図２に示すように、本実施の形態のスターリング冷凍機２は、ケーシング１２と、該ケーシング１２に組付けられたシリンダ１３と、シリンダ１３内で往復動するピストン１４およびディスプレーサ１５と、再生器１６と、圧縮空間１７Ａと膨張空間１７Ｂとを含む作動空間１７と、放熱部１８（ウォームヘッド）と、吸熱部１９（コールドヘッド）と、ピストン駆動手段としてのリニアモータ２３と、ピストンスプリング２４と、ディスプレーサスプリング２５と、ディスプレーサロッド２６と、背圧空間２７とを備える。
【００３４】
図２の例では、スターリング冷凍機２の外殻体（外壁）は、単一の容器で構成されず、背圧空間２７側に位置するケーシング１２（ベッセル部分）と、作動空間１７側に位置する放熱部１８、再生器１６および吸熱部１９の外壁部分とで主に構成される。ケーシング１２は、背圧空間２７を規定する。ケーシング１２には、シリンダ１３、リニアモータ２３、ピストンスプリング２４およびディスプレーサスプリング２５をはじめとする種々の部品が組付けられる。上記外殻体の内部には、ヘリウムガスや水素ガス、窒素ガスなどの作動媒体が充填される。
【００３５】
シリンダ１３は、略円筒状の形状を有し、内部にピストン１４とディスプレーサ１５とを往復動可能に受け入れる。シリンダ１３内において、ピストン１４とディスプレーサ１５とは同軸上に間隔をあけて配置され、このピストン１４およびディスプレーサ１５によってシリンダ１３内の作動空間１７が圧縮空間１７Ａと膨張空間１７Ｂとに区画される。より詳しくは、作動空間１７は、ピストン１４におけるディスプレーサ１５側の端面よりもディスプレーサ１５側に位置する空間であり、ピストン１４とディスプレーサ１５との間に圧縮空間１７Ａが形成され、ディスプレーサ１５と吸熱部１９との間に膨張空間１７Ｂが形成される。圧縮空間１７Ａは主に放熱部１８によって囲まれ、膨張空間１７Ｂは主に吸熱部１９によって囲まれている。
【００３６】
圧縮空間１７Ａと膨張空間１７Ｂとの間には、チューブ１８Ａの内周面上に所定の隙間を有しながらフィルムが巻回されてなる再生器６が配設されており、この再生器１６を介して圧縮空間１７Ａと膨張空間１７Ｂとが連通する。それにより、スターリング冷凍機２内に閉回路が構成される。この閉回路内に封入された作動媒体が、ピストン１４およびディスプレーサ１５の動作に合わせて流動することにより、逆スターリングサイクルが実現する。
【００３７】
シリンダ１３の外側に位置する背圧空間２７にはリニアモータ２３が配設される。リニアモータ２３は、インナーヨーク２０と、可動マグネット部２１と、アウターヨーク２２とを有し、このリニアモータ２３によって、シリンダ１３の軸方向にピストン１４を駆動する。
【００３８】
ピストン１４の一端は、板バネなどで構成されるピストンスプリング２４と接続される。該ピストンスプリング２４は、ピストン１４に弾性力を付与する弾性力付与手段として機能する。該ピストンスプリング２４に弾性力を付加することにより、シリンダ１３内でピストン１４をより安定して周期的に往復動させることが可能となる。ディスプレーサ１５の一端は、ディスプレーサロッド２６を介してディスプレーサスプリング２５と接続される。ディスプレーサロッド２６はピストン１４を貫通して配設され、ディスプレーサスプリング２５は板バネなどで構成される。該ディスプレーサスプリング２５の周縁部と、ピストンスプリング２４の周縁部は、リニアモータ２３からピストン１４の背圧空間２７側（以下、後方と称する場合がある。）に延びる支持部材により支持される。
【００３９】
ピストン１４に対しディスプレーサ１５と反対側には、ケーシング１２によって囲まれた背圧空間２７が配設されている。背圧空間２７は、ケーシング１２内でピストン１４の周囲に位置する外周領域と、ケーシング１２内でピストン１４よりもピストンスプリング２４側（後方側）に位置する後方領域とを含む。この背圧空間２７内にも、作動媒体が存在する。
【００４０】
放熱部１８、吸熱部１９の内周面上には、それぞれ熱交換器１８０（第１熱交換器）と熱交換器１９０（第２熱交換器）とが設けられる。
【００４１】
次に、スターリング冷凍機２の動作について説明する。
【００４２】
まず、リニアモータ２３を作動させてピストン１４を駆動する。リニアモータ２３によって駆動されたピストン１４は、ディスプレーサ１５に接近し、圧縮空間１７Ａ内の作動媒体（作動ガス）を圧縮する。
【００４３】
ピストン１４がディスプレーサ１５に接近することにより、圧縮空間１７Ａ内の作動媒体の温度は上昇するが、放熱部１８によってこの圧縮空間１７Ａ内に発生した熱が外部へと放出される。そのため、圧縮空間１７Ａ内の作動媒体の温度はほぼ等温に維持される。すなわち、本過程は、逆スターリングサイクルにおける等温圧縮過程に相当する。
【００４４】
ピストン１４がディスプレーサ１５に接近した後にディスプレーサ１５は吸熱部１９側に移動する。他方、ピストン１４によって圧縮空間１７Ａ内において圧縮された作動媒体は再生器１６内に流入し、さらに膨張空間１７Ｂへと流れ込む。その際、作動媒体の持つ熱が再生器１６に蓄熱される。すなわち、本過程は、逆スターリングサイクルの等容冷却過程に相当する。
【００４５】
膨張空間１７Ｂ内に流入した高圧の作動媒体は、ディスプレーサ１５がピストン１４側（ケーシング１２のベッセル部分の後端側）へ移動することにより膨張する。このようにディスプレーサ１５が後方側へ移動するのに伴い、ディスプレーサスプリング２５の中央部も後方側に突出するように変形する。
【００４６】
上記のように膨張空間１７Ｂ内で作動媒体が膨張することにより、膨張空間１７Ｂ内の作動媒体の温度は下降するが、吸熱部１９によって外部の熱が膨張空間１７Ｂ内へと伝熱されるため、膨張空間１７Ｂ内はほぼ等温に保たれる。すなわち、本過程は、逆スターリングサイクルの等温膨張過程に相当する。
【００４７】
その後、ディスプレーサ１５がピストン１４から遠ざかる方向に移動し始める。それにより、膨張空間１７Ｂ内の作動媒体は再生器１６を通過して再び圧縮空間１７Ａ側へと戻る。その際に再生器１６に蓄熱されていた熱が作動媒体に与えられるため、作動媒体は昇温する。すなわち、本過程は、逆スターリングサイクルの等容加熱過程に相当する。
【００４８】
この一連の過程（等温圧縮過程−等容冷却過程−等温膨張過程−等容加熱過程）が繰り返されることにより、逆スターリングサイクルが構成される。この結果、吸熱部１９は徐々に低温になり、極低温を有するに至る。
【００４９】
図３は、図２に示すスターリング冷凍機２の外殻体における放熱部１８から吸熱部１９に至る部分を示した側断面図である。
【００５０】
図３を参照して、放熱部１８と吸熱部１９とは、チューブ１８Ａにより接続される。放熱部１８に対して吸熱部１９の反対側に、ベッセル１８Ｂが接続される。放熱部１８、チューブ１８Ａ、ベッセル１８Ｂおよび吸熱部１９によって、スターリング冷凍機２における作動空間側の外殻体が形成される。これらの部材間の接続は、ロウ付けなどにより行なわれる。さらに、ＴＩＧ溶接などにより、図２に示すようにベッセル１８Ｂとケーシング１２とを接続して、スターリング冷凍機２の外殻体が形成される。
【００５１】
放熱部１８、チューブ１８Ａおよび吸熱部１９は、典型的には、ステンレスや銅などにより構成されるが、チタン、アルミニウム、真鍮などにより構成されてもよい。
【００５２】
スターリング冷凍機２の外殻体は、典型的には略円筒形状を有する。ここで、放熱部１８および吸熱部１９の内周面上に設けられる熱交換器１８０，１９０は、熱交換の効率向上の観点から、それぞれ放熱部１８および吸熱部１９に密着することが望ましい。したがって、熱交換器１８０，１９０の外周面は、外殻体の内周面の形状に合わせて、円形に形成される。
【００５３】
実際にスターリング冷凍機２を作製するにあたり、上記ロウ付け部のシールの検査（漏れ検査）が行なわれる。ここでは、ベッセル１８Ｂとケーシング１２とを仮付けすることでスターリング冷凍機２の外殻体が組み立てられ、その外殻体内に、実際にスターリング冷凍機２を作動させる状態よりも高い（たとえば１．５倍程度）の圧力で、試験用ガスが封入され、ロウ付け部からの漏れがないかが確認される。上記確認が行なわれた後、封入された試験用ガスは除去され、ベッセル１８Ｂとケーシング１２とが再度切り離される。その後、放熱部１８および吸熱部１９側（作動空間側）の外殻体内には、熱交換器１８０，１９０や再生器１６が配設され、ケーシング１２側（背圧空間側）の外殻体内には、リニアモータ２３などが配設される。
【００５４】
上述したとおり、試験用ガスは作動媒体よりも高圧で封入されるので、試験用ガスが封入される際、若干量ではあるが、外殻体が変形する（外側に膨らむ）場合がある。この変形が生じることにより、放熱部１８および吸熱部１９の内周面上に設置される熱交換器１８０，１９０と放熱部１８および吸熱部１９との密着性が低下し、熱交換の効率が低下することが懸念される。また、併せて、チューブ１８Ａの内周面上に設けられる再生器１６において、作動媒体の通路が曲がったり、その開口面積（通路面積）が軸方向に変化したりして、作動媒体の移動が抑制されることが懸念される。いずれの場合においても、スターリング冷凍機２における熱交換の効率が低下することが懸念される。
【００５５】
これに対し、本実施の形態に係るスターリング冷凍機２においては、放熱部１８、チューブ１８Ａおよび吸熱部１９の内周面上に切削加工を施すことにより、試験用ガスの封入により変形した外殻体の内面形状を所定の形状（たとえば円形）に戻している。これにより、熱交換器１８０，１９０近傍における熱交換の効率が向上し、また、再生器１６内における作動媒体の移動がスムーズになり、結果として、スターリング冷凍機２における熱交換効率が向上する。スターリング冷凍機２における外殻体の内部においては、グリースなどの伝熱材料を用いることが困難であるため、その外殻体の内周面を所定の形状に加工することは、熱交換の効率向上の観点から非常に有効である。
【００５６】
上記切削加工を施した場合、放熱部１８、チューブ１８Ａおよび吸熱部１９において、周方向にそれらの厚みが変化する。たとえば、放熱部１８であれば、平均の厚み（ｔ１）が２ｍｍ以上５ｍｍ以下程度であるのに対し、その厚みは周方向に１０μｍ以上５０μｍ以下程度変化し、チューブ１８Ａであれば、平均の厚み（ｔ２）が１ｍｍ以上３ｍｍ以下程度であるのに対し、その厚みは周方向に１０μｍ以上５０μｍ以下程度変化し、吸熱部１９であれば、平均の厚み（ｔ３）が２ｍｍ以上５ｍｍ以下程度であるのに対し、その厚みは周方向に１０μｍ以上５０μｍ以下程度変化する。
【００５７】
同様に、上記切削加工を施すことにより、もともとは均一の厚みを有する円筒部材により構成されていたチューブ１８Ａにおいて、軸方向にその厚みが変化する。たとえば、チューブ１８Ａの平均の厚み（ｔ２）が１ｍｍ以上３ｍｍ以下程度であるのに対し、その厚みは軸方向に１０μｍ以上５０μｍ以下程度程度変化する。
【００５８】
なお、切削加工は、好ましくは、放熱部１８から吸熱部１９にまで至る部分に施されるが、放熱部１８、チューブ１８Ａおよび吸熱部１９のうちいずれか１つの内周面上にのみ施されてもよいし、放熱部１８および吸熱部１９の内周面上にのみ、または、放熱部１８とチューブ１８Ａの内周面上にのみ、または、チューブ１８Ａと吸熱部１９の内周面上にのみ施されてもよい。
【００５９】
また、上述した切削加工以外にも、たとえば、試験用ガスの封入により変形した（外側に膨らんだ）外殻体に外側から加圧することで、その外殻体の内周面を所定の形状に加工することは、当然に予定されている。
【００６０】
図４は、図３に示す外殻体における放熱部１８周辺を拡大して示した側断面図である。
【００６１】
図４を参照して、放熱部１８は、熱交換器１８０の外周面が当接する部分に向かうにつれて内径が小さくなるテーパ部分１８Ｃを有する。すなわち、テーパ部分１８Ｃよりも吸熱部１９側の内周面に熱交換器１８０（第１熱交換器）の外周面が当接する。
【００６２】
これにより、熱交換器１８０，１９０および再生器１６を配設する際に、相対的に大きな内径を有する部分（部品挿入口）からそれらの部品を外殻体内に挿入することができるので、設置が行ないやすくなる。また、熱交換器１８０の外径を、テーパ部分１８Ｃにおける最も大きな内径に合わせて設定すれば、テーパ部分１８Ｃの内周によって熱交換器１８０の外周を締め付けることができるので、放熱部１８と熱交換器１８０との密着性が高まり、熱交換の効率が向上する。
【００６３】
上述した内容について要約すると以下のようになる。
【００６４】
本実施の形態に係るスターリング冷凍機２は、ケーシング１２、放熱部１８、チューブ１８Ａおよび吸熱部１９を含む外殻体と、作動媒体を封入した外殻体内に組み付けられたシリンダ１３と、シリンダ１３内で往復運動するピストン１４と、シリンダ１３内でピストン１４に対し位相差をもって往復運動するディスプレーサ１５と、ピストン１４とディスプレーサ１５との間に形成された圧縮空間１７Ａと、ディスプレーサ１５に対してピストン１４の反対側に形成された膨張空間１７Ｂと、圧縮空間１７Ａと膨張空間１７Ｂとを連通する連通路に配設された再生器１６と、再生器１６に対して圧縮空間１７Ａ側に配設された放熱部１８と、再生器１６に対して膨張空間１７Ｂ側に配設された吸熱部１９と、放熱部１８の内周面上に配設された熱交換器１８０（第１熱交換器）と、吸熱部１９の内周面上に配設された熱交換器１９０（第２熱交換器）とを備えている。ここで、外殻体における熱交換器１８０または熱交換器１９０が当接する部分において、熱交換器１８０または熱交換器１９０の外周に沿うように該外殻体の内面を加工（たとえば切削加工）することにより、外殻体の厚みが軸方向または周方向に異なってくる。すなわち、結果的に、外殻体の厚みは、少なくとも該外殻体における熱交換器１８０または熱交換器１９０が当接する部分において、外殻体の軸方向または周方向に異なっている。
【００６５】
また、本実施の形態に係るスターリング冷凍機２の製造方法は、外殻体内に動作時における作動媒体の圧力よりも高い圧力で試験用ガスを封入する工程と、封入された試験用ガスを除去した後、外殻体の一部を構成する部分であって放熱部１８から吸熱部１９に至る部分の少なくとも一部の内周面に切削加工を施す工程と、放熱部１８および吸熱部１９の内周面上にそれぞれ熱交換器１８０，１９０と、放熱部１８と吸熱部１９との間に位置する外殻体（チューブ１８Ａ）の内周面上に再生器１６とを取り付ける工程と、外殻体内に、シリンダ１３と、ピストン１４と、シリンダ１３内においてピストン１４に対向するディスプレーサ１５とを取り付ける工程とを備える。
【００６６】
さらに、本実施の形態に係るスターリング冷却庫は、上述した構成を有するスターリング冷凍機２、または、上述した製造方法により製造されたスターリング冷凍機２を備える。
【００６７】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【図面の簡単な説明】
【００６８】
【図１】本発明の１つの実施の形態に係るスターリング冷却庫を示した図である。
【図２】本発明の１つの実施の形態に係るスターリング機関を示した側断面図である。
【図３】図２に示すスターリング機関の外殻体における放熱部から吸熱部に至る部分を示した側断面図である。
【図４】図３に示す外殻体における放熱部周辺を拡大して示した側断面図である。
【符号の説明】
【００６９】
１  スターリング冷却庫、１Ａ  冷却庫本体、１Ｂ  冷却庫本体背面、１Ｃ  冷却庫本体底面、２  スターリング冷凍機、３  高温側凝縮器、３Ａ  ダクト、３Ｂ  高温側蒸発器、４  送風ファン、５  低温側蒸発器、５Ａ  冷気ダクト、６  低温側冷媒通路、７  庫内冷却ファン、８  ドレンパイプ、９  ドレンパン、１０  送風ファン、１２  ケーシング、１３  シリンダ、１４  ピストン、１５  ディスプレーサ、１６  再生器、１７  作動空間、１７Ａ  圧縮空間、１７Ｂ  膨張空間、１８  放熱部、１８Ａ  チューブ、１８Ｂ  ベッセル、１８Ｃ  テーパ部分、１９  吸熱部、２０  インナーヨーク、２１  可動マグネット部、２２  アウターヨーク、２３  リニアモータ、２４  ピストンスプリング、２５  ディスプレーサスプリング、２６  ディスプレーサロッド、２７  背圧空間、１８０，１９０  熱交換器。
【図１】
2005345073.tif 000003
【図２】
2005345073.tif 000004
【図３】
2005345073.tif 000005
【図４】
2005345073.tif 000006